(57)【要約】【課題】  閉扉状態においても解錠符号の探索作業が可能であるほか、構造簡単かつ操作が容易で、しかも解錠符号を確実に知得できるダイヤル符号錠装置を提供すること。【解決手段】  使用者が解錠符号を任意に変換することができ、かつ管理者が解錠符号を探索する型式のダイヤル錠装置において、ダイヤルリング１０と作動軸１１との中間に設けるクラッチ１５の外周特定位置に符号探索用の凹部２２を設けると共に、凹部２２に対し、係合可能な探索ピン２３をばね２７により進出し易く並設した探索枠２４を設け、非常鍵を使用した摘み７による回動操作により探索枠２４をクラッチ１５側に進出させ、探索ピン２３をクラッチ１５に弾接させたまま、ダイヤルリング１０と共にクラッチ１５を回転させ、探索ピン２３の凹部２２への係合で解錠符号を探索することを特徴とする。【選択図】図２
2012026249.tif 000002
【特許請求の範囲】
【請求項１】
ロッカー等の扉（Ｄ）に取り付けて、ダイヤル錠部（２）における操作部（３）に対する操作により、掛止片（４）を駆動してロッカー本体の固定受部（Ｓ）に係脱すると共に、ダイヤルリング（１０）により解錠符号を設定した後に、操作部（３）を操作して施錠するほか、解錠に際してはダイヤルリング（１０）を解錠符号に復元して操作部（３）を解錠方向に操作することにより掛止片（４）を固定受部（Ｓ）から離脱するようにし、更に操作部（３）にはシリンダ錠機構とこのシリンダ錠機構用の非常鍵挿入のための鍵孔（８）を設け、ダイヤルリング（１０）による解錠符号の復元とは無関係に非常鍵により解錠することができるようにした型式のダイヤル錠装置において、作動軸（１１）とダイヤルリング（１０）との間に設ける各クラッチ（１５）の外周特定位置に断面がほぼ長方形の符号探索用の凹部（２２）を設けると共に、この凹部（２２）に対して各別に進退係合可能な探索ピン（２３）をばね（２７）により進出しやすい傾向に並設した探索枠（２４）を設けてこの探索枠（２４）を必要に応じクラッチ（１５）に接離することができるようにし、かつシリンダ錠機構における摘み（７）には駆動腕（３５）を設けて、探索操作としての摘み（７）の回動に基づく駆動腕（３５）の旋回動により探索枠（２４）をクラッチ（１５）方向に進出するように連動させ、探索枠（２４）の進出により探索ピン（２３）をクラッチ（１５）の外周に弾接させたまま、ダイヤルリング（１０）とクラッチ（１５）との一体的回動により解錠符号位置において凹部（２２）と探索ピン（２３）とを係合させ、ダイヤルリング（１０）の解錠符号を正面に表出するように構成して解錠符号を探索するようにしたことを特徴とするダイヤル錠装置。
【請求項２】
シリンダ機構における操作部（３）の軸線と作動軸（１１）の軸線とを直交する状態に形成し、更に探索枠（２４）に受動ピン（２８）を突設すると共に、この受動ピン（２８）に係合する傾斜長孔（２９）がある板状の中継体（３０）をクラッチ（１５）の軸線に対して平行に進退可能に設け、かつ中継体（３０）の基端には受動部（３１）とばね受部（３２）とを設けて、ばね受部（３２）とケース（５）に形成したばね収容部（３３）との間にコイルばね（３４）を介装し、中継体（３０）をコイルばね（３４）により常時後退傾向に付勢して探索枠（２４）を後退した状態に保つようにし、かつ前記駆動腕（３５）の旋回範域に中継体（３０）における受動部（３１）を対応させ、必要に応じて摘み（７）を旋回させることにより、駆動腕（３５）を受動部（３１）に押圧させて中継体（３０）をコイルばね（３４）に抗して進出させ、探索中継体（３０）の進出により傾斜長孔（２９）と受動ピン（２８）との協働のもとに探索枠（２４）をクラッチ（１５）寄りに進出させ、探索ピン（２３）をクラッチ（１５）の周側面に弾接するようにした請求項１に記載のダイヤル錠装置。
【発明の詳細な説明】
【技術分野】
【０００１】  本発明は、不特定多数の使用者が利用するロッカー等に装備するダイヤル錠装置に関するものであり、特に使用者が解錠符号を任意に変換することができるほか、管理者はその解錠符号を容易に探索することができるようにしたダイヤル錠装置に関するものである。
【背景技術】
【０００２】  ダイヤル錠を装備するロッカー等は、利用者による鍵の紛失の虞がない関係上、レジャー施設その他において広く使用されているが、特に利用者が解錠符号（解錠番号）を任意に変換することができる従来の一般的符号変換型のダイヤル錠においては、利用者が設定した解錠符号を記憶している場合は、解錠に不都合は生じないが、その設定した解錠符号を忘れた場合あるいは記憶違いをした場合に解錠できないという欠点がある。【０００３】  上記欠点を解消するため、管理者による非常鍵の使用により解錠可能に構成し、解錠符号を探索して設定を解除することができるようにした構成のダイヤル錠装置が知られている。（特許文献１〜３）
【先行技術文献】
【特許文献】
【０００４】
【特許文献１】  特開昭６４−５８７７９公報
【特許文献２】  特開平２−３０８６２公報
【特許文献３】  特開平４−１５３４７９公報
【発明の概要】
【発明が解決しようとする課題】
【０００５】  しかしながら、前記特許文献１〜３に記載のダイヤル錠装置においては、管理者により解錠番号を探索する場合、いずれも非常鍵を使用して扉を開放した状態のもとに、扉の裏側に設けられている検索ピンを各別に指頭等により押圧しつつ、表部に露出しているダイヤルリングを回動操作し、検索ピンの先端に対応するロックギアの小孔と検索ピンとの係合した位置のダイヤルリング表部の符号が解錠番号として表示される構造であり、これらの操作を各ダイヤルリングと各検索ピンとについて順次行うことにより、一連の解錠番号が判明するが、まず扉を開放する必要があるばかりでなく、各検索ピンと対応ダイヤルリングとを各組毎に操作する必要がある等、操作が著しく煩雑かつ非能率的である。【０００６】  そこで本発明の目的は、探索ピンを押圧しつつダイヤルリングを回動操作することにより、探索ピンを係合させて解錠符号を探索する型式の解錠符号探索機能を装備したダイヤル錠装置において、閉扉状態においても解錠符号の探索作業が可能なダイヤル錠装置を提供することにあり、また他の目的は、構造簡単かつ操作が容易で、しかも解錠符号を確実に知得できるダイヤル錠装置を提供することにある。
【課題を解決するための手段】
【０００７】  上記目的を達成するため、請求項１の発明は、ロッカー等の扉に取り付けて、ダイヤル錠部における操作部に対する操作により、掛止片を駆動してロッカー本体の固定受部に係脱すると共に、ダイヤルリングにより解錠符号を設定した後に、操作部を操作して施錠するほか、解錠に際してはダイヤルリングを解錠符号に復元して操作部を解錠方向に操作することにより掛止片を固定受部から離脱するようにし、更に操作部にはシリンダ錠機構とこのシリンダ錠機構用の非常鍵挿入のための鍵孔を設け、ダイヤルリングによる解錠符号の復元とは無関係に非常鍵により解錠することができるようにした型式のダイヤル錠装置において、作動軸１１とダイヤルリング１０との間に設ける各クラッチ１５の外周特定位置に断面がほぼ長方形の符号探索用の凹部２２を設けると共に、この凹部２２に対して各別に進退係合可能な探索ピン２３をばね２７により進出しやすい傾向に並設した探索枠２４を設けてこの探索枠２４を必要に応じクラッチ１５に接離することができるようにし、かつシリンダ錠機構における摘み７には駆動腕３５を設けて、探索操作としての摘み７の回動に基づく駆動腕３５の旋回動により探索枠２４をクラッチ１５方向に進出するように連動させ、探索枠２４の進出により探索ピン２３をクラッチ１５の外周に弾接させたまま、ダイヤルリング１０とクラッチ１５との一体的回動に伴う凹部２２と探索ピン２３との係合により、ダイヤルリング１０の解錠符号を正面に表出させ、解錠符号を探索するように構成したことを特徴とするダイヤル錠装置である。【０００８】  請求項２の発明は、請求項１に記載のダイヤル錠装置において、シリンダ錠機構における操作部３の軸線と作動軸１１の軸線とを直交する状態に形成し、更に探索枠２４に受動ピン２８を突設すると共に、この受動ピン２８に係合する傾斜長孔２９がある板状の中継体３０をクラッチ１５の軸線に対して平行に進退可能に設け、かつ中継体３０の基端には受動部３１とばね受部３２とを設けて、ばね受部３２とケース５に形成したばね収容部３３との間にコイルばね３４を介装し、中継体３０をコイルばね３４により常時後退傾向に付勢して探索枠２４を後退した状態に保つようにし、かつ前記駆動腕３５の旋回範域に中継体３０における受動部３１を対応させ、必要に応じて摘み７を旋回させることにより、駆動腕３５を受動部３１に押圧させて中継体３０をコイルばね３４に抗して進出させ、探索中継体３０の進出により傾斜長孔２９と受動ピン２８との協働のもとに探索枠２４をクラッチ１５寄りに進出させ、探索ピン２３をクラッチ１５の周側面に弾接するようにしたダイヤル錠装置である。
【発明の効果】
【０００９】  請求項１の発明によれば、各クラッチ１５に設けた断面がほぼ長方形の符号探索用の凹部２２に対する探索ピン２３をばね２７により進出しやすい傾向に並設した探索枠２４を設けてこの探索枠２４を必要に応じクラッチ１５に接離することができるようにすると共に、シリンダ錠機構における摘み７に駆動腕３５を設けて、探索操作に当り摘み７を回動して駆動腕３５の旋回動により探索枠２４をクラッチ１５方向に進出するようにしたから、探索枠２４の進出により各探索ピン２３を一斉にクラッチ１５の外周に弾接させたまま、ダイヤルリング１０とクラッチ１５との一体的回動により、解錠符号位置において凹部２２と探索ピン２３とを係合させることができ、ダイヤルリング１０の解錠符号を正面に表出して解錠符号を探索するように構成したから、簡単な構造のもとに、非常鍵を使用して摘み７を回動して各ダイヤルリング１０を操作するだけの著しく簡単な操作により閉扉状態のまま解錠符号を確実に探索することができる。なお、凹部２２と探索ピン２３との係合時にはクリック音による報知と同時にダイヤルリング１０の回動が強制的に停止され、解錠符号位置であることを容易に知得することができる。【００１０】  請求項２の発明によれば、シリンダ錠機構における操作部３の軸線と作動軸１１の軸線とを直交する状態に形成し、更に探索枠２４に受動ピン２８を突設すると共に、この受動ピン２８に係合する傾斜長孔２９がある板状の中継体３０をクラッチ１５の軸線に対して平行に進退可能に設け、かつ中継体３０の基端には受動部３１とばね受部３２とを設けて、ばね受部３２とケース５に形成したばね収容部３３との間にコイルばね３４を介装し、中継体３０をコイルばね３４により常時後退傾向に付勢して探索枠２４を後退した状態に保つようにし、かつ前記駆動腕３５の旋回範域に中継体３０における受動部３１を対応させ、必要に応じて摘み７を旋回させることにより、駆動腕３５を受動部３１に押圧させて中継体３０をコイルばね３４に抗して進出させ、探索中継体３０の進出により傾斜長孔２９と受動ピン２８との協働のもとに探索枠２４をクラッチ１５寄りに進出させ、探索ピン２３をクラッチ１５の周側面に弾接するようにしたから、これにより簡単な構造のもとに駆動腕３５の旋回に連動して探索枠２４を確実に進退させ、探索ピン２３を一斉に弾接体制にすることができる。なお、駆動腕３５の旋回動と中継体３０の進退動による連動機構により、探索枠２４を進退させるようにしたことは、操作部３と作動軸１１とが直交する構成のものにおいて、装備の占有容積を狭少に限定して設けることができ、小型化できる利点がある。更に、中継体３０並びに探索枠２４の直線摺動による進退動により、これら部材を単純な動きのもとに円滑に進出および後退させることができ、故障を生じることなく、長期使用に耐える利点もある。
【図面の簡単な説明】
【００１１】
【図１】  本発明の一実施形態における施錠状態のダイヤル錠装置の正面図である。
【図２】  図１のダイヤル錠装置の横断仰視図である。
【図３】  図１のダイヤル錠装置のフロントカバーを外した状態の要部の正面図である。
【図４】  図１のダイヤル錠装置の縦断側面図である。
【図５】  切換用操作体付近の縦断側面図である。
【図６】  図１のダイヤル錠装置の要部の縦断側面図および一部破断平面図であり、（ａ）は施錠状態で、（ｂ）は解錠状態を示す。
【図７】  解錠符号探索時の状態を示す図３に対応した要部の正面図である。
【図８】  切換用操作体の作用説明図であり、（ａ）は後退状態を示し、（ｂ）は進出状態を示す。
【図９】  一部を破断して示す要部の分解斜面図である
【発明を実施するための形態】
【００１２】  以下、本発明を添付図の一実施形態について説明するが、本発明の適用対象としてのダイヤル錠装置としては、例えば図１ないし図４に示す型式を採択する。
【００１３】  図１ないし図４に示すダイヤル錠装置は、大体において、右半部に手掛部１と左半部にダイヤル錠部２を設けた箱状を呈し、ロッカーＬ等の扉Ｄに取り付けて、ダイヤル錠部２における操作部３に対する回動操作に伴い、掛止片４を正逆旋回させてロッカーＬの本体における固定受部Ｓに係脱するようにする。ダイヤル錠部２は、手掛付主ケース５ａとフロントカバー５ｂとからなるケース５のフロントカバー５ｂ側の半部に装着し、フロントカバー５ｂの下端寄り表部に形成した開口６から操作部３を突設してこの操作部３の後端に前記掛止片４を連結するほか、操作部３の前端には手指による回動に適応する摘み７を設け、この摘み７の一定角度範囲の旋回動により施錠および解錠操作をするようにする。摘み７には非常鍵を挿入するための鍵孔８を設けるほか、操作部３の内部にシリンダ錠機構を設け、利用者が設定した解錠符号を忘れた場合に、管理者により非常鍵を使用して解錠することができるようにする。フロントカバー５ｂには４個の通孔９を列設して、内方に回転自在に配設する４個のダイヤルリング１０の一部を露出させて手指による回動操作のもとに、外周面に設けた０〜９等の符号を選択することができるようにし、ダイヤルリング１０の回動操作による解錠符号の設定および復元により施錠および解錠するようにする。なお図示を省略しているが、ダイヤルリング１０の符号が安定的に正面を向くことができるように、ダイヤルリング１０側の切欠とこの切欠に係入するばね片とからなる位置決め構造を付設する。
【００１４】  ダイヤルリング１０の内周一側端部寄りにクラッチ歯１０ａを設けると共に、内方には作動軸１１を全数のダイヤルリング１０と同一軸線関係のもとに、後述の２個の軸受部材により回転不能に支承したまま、軸線方向に適度に摺動が許容される状態に設け、かつ作動軸１１の後端部にはコイルばね１２を付設してこのコイルばね１２の付勢により前端部をシリンダ錠機構におけるシフトドラム１３のカム面に常時圧接する進出傾向に保つようにする。作動軸１１の外周にはキー片１４を突設し、かつ別に一側端寄りの外周と内周とにそれぞれダイヤルリング１０のクラッチ歯１０ａに対応するクラッチ歯１５ａと作動軸１１のキー片１４に対応するキー溝１５ｂとがあるほか、キー片１４の係合を回避するための逃げ部１６がある４個の短筒状のクラッチ１５を前記作動軸１１の外周に摺動可能に緩嵌する。
【００１５】  作動軸１１はこれを主ケース５ａにおけるシリンダ錠機構寄り部位に軸線方向に適度に摺動可能で回転不能に設けられた先端方の軸受部材１７と、後端寄りに固設された軸受部材１８とにより支承し、軸受部材１８と作動軸１１とはスプライン状態に相互に回転不能に緩嵌する。作動軸１１の後端寄り部分には鍔付ブッシュ１９を緩嵌して軸受部材１８との間にコイルばね２０を介設し、このコイルばね２０により各クラッチ１５をダイヤルリング１０との係合が離脱する方向に付勢し、かつ軸受部材１８と作動軸１１の段部との間に前記コイルばね１２を介設する。軸受部材１７は全クラッチ１５を介してコイルばね２０によりシリンダ錠機構におけるシフトドラム１３のカム面に常時圧接する傾向に保つ。
【００１６】  シフトドラム１３のカム面には、図６に示すように、ほぼ台形の谷部２１ａ，２１ｂを９０度の角度間隔のもとに形成し、同図（ｂ）のように谷部２１ａが作動軸１１および軸受部材１７に対接する状態において、作動軸１１および軸受部材１７をコイルばね１２およびコイルばね２０による各別な付勢により谷部２１ａに進出させ、これにより各クラッチ１５におけるクラッチ歯１５ａと各ダイヤルリング１０におけるクラッチ歯１０ａとは離脱し、全てのダイヤルリング１０は回転が自由となり、解錠符号を設定することができる。解錠符号を設定した後、摘み７に対する操作のもとにシフトドラム１３を時計方向に９０度旋回させることにより、図１ないし図３および図６（ａ）のように、掛止片４をロッカーＬの固定受部Ｓに係合させると共に、軸受部材１７を谷部２１ｂに係合させることなく、作動軸１１だけを谷部２１ｂに進出係合させ、これにより各クラッチ１５を各ダイヤルリング１０に係合させると同時に、各クラッチ１５のキー溝１５ｂを作動軸１１におけるキー片１４から離脱させるようにする。その後ダイヤルリング１０をクラッチ１５と係合した状態のもとに任意に回転させて符号列を乱して施錠が完了する。この状態でキー片１４といずれかのダイヤルリング１０のキー溝１５ｂとは符合していない。
【００１７】  解錠に際しては、ダイヤルリング１０を設定時の施錠符号に復元することにより、作動軸１１におけるキー片１４とクラッチ１５におけるキー溝１５ｂとを合致させた状態のもとに、摘み７に対する操作により作動軸１１を後退させつつシフトドラム１３を反時計方向に９０度旋回させ、これに伴い掛止片４をロッカーＬの本体における固定受部Ｓから旋回離脱させて解錠することができる。
【００１８】  また、符号列を忘れた場合等の非常時に際し、管理人等により非常鍵を使用して解錠することができるように構成しており、即ち、摘み７に設けた鍵孔８に非常鍵を挿入してシリンダ錠機構におけるタンブラによるシフトドラム１３の係合を解除した状態のもとに、シフトドラム１３に関係なく掛止片４を旋回して解錠することができるようにする。
【００１９】  上記構成は、従来一般のこの種のダイヤル錠装置における構成と性質的に大差はない。上記構成に対する本発明の特殊構成としては、クラッチ１５の一側端寄りの延長筒部の外周面にキー溝１５ｂに対応した特定位置に断面がほぼ長方形の符号探索用の凹部２２を設けるのであって、即ちこの実施形態においては、作動軸１１におけるキー片１４を前方正面に設けると共に、このキー片１４とクラッチ１５のキー溝１５ｂとが合致した状態におけるクラッチ１５の右側面位置に設ける。
【００２０】  符号探索用の各凹部２２に対して、進退係合する棒状の探索ピン２３を各別に対設するのであるが、各ダイヤルリング１０列の右側部においてクラッチ１５の軸線と直交する方向即ち図２および図３において左右方向に進退可能な探索枠２４をケース５内に配設すると共に、探索枠２４には扁平な指片２５をクラッチ１５の軸線に対して直交状態に突設して探索枠２４の進退に伴い各指片２５を対応クラッチ１５の外周に接離するようにし、かつ指片２５には図２のように受け孔２６を設けてこの受け孔２６に前記探索ピン２３をコイルばね２７により一定程度進出し易い傾向に収容し、これにより探索枠２４の進出に伴い探索ピン２３の先端をクラッチ１５の外周に弾接するように構成する。
【００２１】  前記探索枠２４には受動ピン２８を突設すると共に、この受動ピン２８に係合する傾斜長孔２９がある板状の中継体３０をクラッチ１５の軸線に対して平行に進退可能に設け、かつ中継体３０の基端には受動部３１とばね受部３２とを設けて、ばね受部３２とケース５に形成したばね収容部３３との間にコイルばね３４を介装し、中継体３０をコイルばね３４により常時後退傾向に付勢して探索枠２４を図２および図３のように右方に後退した状態に保つようにする。
【００２２】  前記摘み７には駆動腕３５を突設してこの駆動腕３５の旋回範域に前記中継体３０における受動部３１を対応させ、必要に応じて摘み７を旋回させることにより、駆動腕３５を中継体３０における受動部３１に押圧させて中継体３０をコイルばね３４に抗して進出させ、中継体３０の進出により傾斜長孔２９と受動ピン２８との協働のもとに探索枠２４をクラッチ１５寄りに進出させ、これにより探索ピン２３をクラッチ１５の周側面に弾接させる。
【００２３】  解錠符号の探索に当っては、施錠状態即ち図３および図６（ａ）のように、作動軸１１は下方へ進出してその先端がシフトドラム１３の谷部２１ｂに係合したまま、各クラッチ１５は上方へ後退してダイヤルリング１０と係合しており、この状態のもとに、図７のように、鍵孔８に非常鍵を挿入して摘み７を反時計方向に９０度プラス４５度回転させることにより、シフトドラム１３を回転させることなく、掛止片４を固定受部Ｓから離脱させ、かつ摘み７に設けた駆動腕３５により中継体３０を上方へ押動進出させ、中継体３０の進出に伴い探索枠２４をクラッチ１５寄りに押動進出させ、これにより全数の探索ピン２３の先端を対応する各クラッチ１５の周側面に弾接させた探索待機状態とする。
【００２４】  探索待機状態においては、ダイヤルリング１０は通常図６（ａ）のようにクラッチ１５と係合したまま回転が自由であるから、ダイヤルリング１０を回転して符号を順次にずらすと、クラッチ１５の凹部２２も間欠回動して探索ピン２３と出会った位置で探索ピン２３は凹部２２に落ち込んで回動が阻止され、（図７における最上位のクラッチ１５を参照）その位置におけるダイヤルリング１０の正面の符号が解錠符号であり、全数のダイヤルリング１０について同様の操作を行うことにより、解錠符号列が判明する。
【００２５】  設定していた解錠符号が確認できたならば、非常鍵を挿入したまま摘み７を時計方向に１３５度回転すると、駆動腕３５による中継体３０への押動が解除されてコイルばね３４により中継体３０は後退復元し、これに伴い探索枠２４も後退復元して各探索ピン２３は凹部２２から脱出し、ダイヤルリング１０に解錠符号が示された施錠状態となり、ダイヤルリング１０の回転が可能となる。その後非常鍵を抜き取りダイヤルリング１０を適宜回転して解錠符号を乱すことにより、他人に解錠符号を読み取られないようにする。
【００２６】  前記クラッチ１５に隣接する軸受部材１７の一側の端面には少なくとも左右両側に受動鍔部３６を設けると共に、受動鍔部３６の後端縁には斜め下向きの傾斜受面３６ａを形成し、これに対し、軸受部材１７付近から背方には軸受部材１７の軸線とほぼ直交する前後方向の案内用すべり軸受３７を主ケース５ａに設けると共に、このすべり軸受３７には、背部に押しボタン３８があるほか、先端寄り部が二股に形成された駆動端３９があり、駆動端３９の先端に受動鍔部押圧用の傾斜押圧面３９ａが斜め上向きに形成された切換用操作体４０を前後方向に進退可能に設け、図４のように、切換用操作体４０を後方に引き出した後退状態においては、駆動端３９は受動鍔部３６から離反するから、軸受部材１７はシフトドラム１３のカム面の対応位置に規制されて進退し、必要に応じてダイヤルリング１０を自由に回転させることができ、従って解錠符号の変換が可能な自由変換型として機能する。
【００２７】  図５のように押しボタン３８を押し込むと、その押し込む過程において先端の傾斜押圧面３９ａが傾斜受面３６ａに案内されつつ、切換用操作体４０の駆動端３９により受動鍔部３６をコイルばね２０に抗して上方へ押動し、これによりクラッチ１５とダイヤルリング１０とが図６（ａ）の縦断側面図ように係合してその係合関係が継続され、ダイヤルリング１０の単独回転が阻止されるから、解錠符号の変換が不可能となる関係上、符号固定型として機能させることができ、なお必要に応じ押しボタン３８を引き出すと、切換用操作体４０は後退し、解錠符号の変換が可能な自由変換型として機能させることができる。
【００２８】  符号固定型と自由変換型との切り換え操作のための機構については、例えば図８のように切換用操作体４０の基部に近くプラグ４１により片側が閉塞された段付きの受孔４２を設けると共に、受孔４２にはコイルばね４３の下敷きのもとに段付きのロックピン４４をその先細の先端が外方に進出する傾向に収容し、符号固定型として使用する場合は、図８（ａ）のようにロックピン４４を指頭により押し込んだ後、押しボタン３８を図８（ｂ）のように内方へ押し込み進出させ、また自由変換型に変更して使用する場合には、図８（ｂ）の状態から押しボタン３８をそのロックピン４４が図８（ａ）のようにすべり軸受け３７の端縁よりも後部において突出まで引き出し、ロックピン４４による押し込みが阻止される状態にする。なお切り換え操作のための機構については、上記に限らず種々の構造を採択することが可能である。
【００２９】  前記シフトドラム１３についてその回転角度に対応して９０度の範域にストッパ４５を設けるのがよく、また図示しないが駆動腕２６についてもその旋回角度に対応して１３５度の範域にストッパを設けるのがよい。
【符号の説明】
【００３０】Ｓ      固定受部
Ｌ      ロッカー
Ｄ      扉
２      ダイヤル錠部
３      操作部
４      掛止片
５      ケース
７      摘み
８      鍵孔
１０    ダイヤルリング
１１    作動軸
１３    シフトドラム
１５    クラッチ
２２    凹部
２３    探索ピン
２４    探索枠
２５    指片
２６    受け孔
２７    コイルばね
２８    受動ピン
２９    傾斜長孔
３０    中継体
３１    受動部
３２    ばね受部
３３    ばね収容部
３４    コイルばね
３６    受動鍔部
３７    すべり軸受
３８    押しボタン
３９    駆動端
３９ａ  傾斜押圧面
４０    切換用操作体
【図１】
2012026249.tif 000003
【図２】
2012026249.tif 000004
【図３】
2012026249.tif 000005
【図４】
2012026249.tif 000006
【図５】
2012026249.tif 000007
【図６】
2012026249.tif 000008
【図７】
2012026249.tif 000009
【図８】
2012026249.tif 000010
【図９】
2012026249.tif 000011